Podtech/llm-jp-corpus-v4-ja_patent huggingface dataset:
【手続補正書】
【提出日】平成26年8月6日(2014.8.6)
【手続補正１】
【補正対象書類名】特許請求の範囲
【補正対象項目名】請求項１
【補正方法】変更
【補正の内容】
【請求項１】
測定対象水系から採取した測定対象水に２種の試薬をそれぞれ添加することにより、ｐＨ値が所定のｐＨの範囲となり、前記測定対象水中の所定の溶解物により所定色に発色する試料水を作る工程と、
前記所定のｐＨの範囲を含む第１のｐＨの範囲と、この第１のｐＨの範囲から外れた第２のｐＨの範囲とにおいて、前記所定色以外の互いに異なる色に発色可能な１つの酸塩基指示薬を選定する工程と、
前記２種の試薬のうち、これらを１種ずつ前記測定対象水に添加した添加水のｐＨ値の一方が、前記第２のｐＨの範囲にある場合には、この第２のｐＨの範囲にある側の前記添加水に添加されている一方の試薬に、前記選定された酸塩基指示薬を加えて試薬の調整を行い、前記添加水の何れのｐＨ値も前記第２のｐＨの範囲にない場合には、そのｐＨ値が前記第２のｐＨの範囲に近いほうにある側の前記添加水に添加されている一方の試薬に、前記選定された酸塩基指示薬と、その添加水のｐＨ値を前記第２のｐＨの範囲内のものにするためのｐＨ調整薬とを加えるとともに、他方の試薬に、前記一方の試薬に加えられた前記ｐＨ調整薬を中和する他のｐＨ調整薬を加えて試薬の調整を行う工程と、
前記測定対象水に、前記試薬の調整を行った前記２種の試薬をそれぞれ添加して作られた前記試料水に光を当てて、この試料水の透過光うち、可視光域の光を略３分割して得られるレッド領域成分光と、グリーン領域成分光と、ブルー領域成分光とにつき、それぞれ吸光度を算出する工程と、
前記算出された吸光度を用いて、前記測定対象水に対する、前記２種の試薬の添加の有無の判定を行う工程と、
前記算出された吸光度を用いて、前記測定対象水中の前記所定の溶解物の濃度を算出する工程とを有することを特徴とする溶解物濃度の自動測定方法。
【手続補正２】
【補正対象書類名】明細書
【補正対象項目名】０００９
【補正方法】変更
【補正の内容】
【０００９】
この発明の請求項１記載の溶解物濃度の自動測定方法の発明は、測定対象水系から採取した測定対象水に２種の試薬をそれぞれ添加することにより、ｐＨ値が所定のｐＨの範囲となり、前記測定対象水中の所定の溶解物により所定色に発色する試料水を作る工程と、前記所定のｐＨの範囲を含む第１のｐＨの範囲と、この第１のｐＨの範囲から外れた第２のｐＨの範囲とにおいて、前記所定色以外の互いに異なる色に発色可能な１つの酸塩基指示薬を選定する工程と、前記２種の試薬のうち、これらを１種ずつ前記測定対象水に添加した添加水のｐＨ値の一方が、前記第２のｐＨの範囲にある場合には、この第２のｐＨの範囲にある側の前記添加水に添加されている一方の試薬に、前記選定された酸塩基指示薬を加えて試薬の調整を行い、前記添加水の何れのｐＨ値も前記第２のｐＨの範囲にない場合には、そのｐＨ値が前記第２のｐＨの範囲に近いほうにある側の前記添加水に添加されている一方の試薬に、前記選定された酸塩基指示薬と、その添加水のｐＨ値を前記第２のｐＨの範囲内のものにするためのｐＨ調整薬とを加えるとともに、他方の試薬に、前記一方の試薬に加えられた前記ｐＨ調整薬を中和する他のｐＨ調整薬を加えて試薬の調整を行う工程と、前記測定対象水に、前記試薬の調整を行った前記２種の試薬をそれぞれ添加して作られた前記試料水に光を当てて、この試料水の透過光うち、可視光域の光を略３分割して得られるレッド領域成分光と、グリーン領域成分光と、ブルー領域成分光とにつき、それぞれ吸光度を算出する工程と、前記算出された吸光度を用いて、前記測定対象水に対する、前記２種の試薬の添加の有無の判定を行う工程と、前記算出された吸光度を用いて、前記測定対象水中の前記所定の溶解物の濃度を算出する工程とを有することを特徴とする。
【手続補正３】
【補正対象書類名】明細書
【補正対象項目名】００１１
【補正方法】変更
【補正の内容】
【００１１】
測定対象水に、試薬の調整を行った第１試薬と第２試薬とが共に添加されると、試料水は、測定対象水中の所定の溶解物により所定色に発色するとともに、ｐＨ値が所定のｐＨの範囲内に入るため、第１試薬の選定指示薬により、所定色以外の互いに異なる色の一方（以下第１色という）に発色する。また、測定対象水に、第１試薬のみが添加され、第２試薬が添加されない場合には、試料水は、ｐＨ値が第２のｐＨの範囲に入って、第１試薬の選定指示薬により、所定色以外の互いに異なる色の他方（以下第２色という）に発色する。さらに、測定対象水に、第２試薬のみが添加され、第１試薬が添加されない場合には、試料水は、選定指示薬を有さないため、第１色と第２色の何れにも発色しない。したがって、試料水が第１色に発色することにより、第１試薬と第２試薬とが共に添加されていることが分かり、試料水が第２色に発色することにより、第１試薬のみが添加されていることが分かり、試料水が第１色と第２色の何れにも発色していないことにより、第２試薬のみが添加されているか、又は、第１試薬と第２試薬の何れもが添加されていないことが分かる。
【手続補正４】
【補正対象書類名】明細書
【補正対象項目名】００４０
【補正方法】変更
【補正の内容】
【００４０】
この試薬の調整工程Ｋ２では、第１試薬Ａ０と第２試薬Ｂ０とを各測定対象水Ｗ０に別々に添加した２つの添加水ＴのｐＨ値が、第２ｐＨ範囲Ｈ２内にある場合には、第２ｐＨ範囲Ｈ２内にある側の添加水Ｔに添加されている一方の試薬（例えば第１試薬Ａ０）に、選定指示薬Ｓを加え、他方の試薬（第２試薬Ｂ０）には何も加えない。また、この試薬の調整工程Ｋ２では、何れの添加水ＴのｐＨ値も、第２ｐＨ範囲Ｈ２にない場合には、これに近いほうにある側の添加水Ｔに添加されている一方の試薬（例えば第１試薬Ａ０）に、選定指示薬Ｓを加え、かつ、この添加水ＴのｐＨ値を第２ｐＨ範囲Ｈ２内のものにするために、第１試薬Ａ０にｐＨ調整薬Ｐ１を加えるとともに、第２試薬Ｂ０に、第１試薬Ａ０に加えられたｐＨ調整薬Ｐ１を中和する他のｐＨ調整薬Ｐ２を加える。
【手続補正書】
【提出日】平成26年8月5日(2014.8.5)
【手続補正１】
【補正対象書類名】特許請求の範囲
【補正対象項目名】全文
【補正方法】変更
【補正の内容】
【特許請求の範囲】
【請求項１】
データセンタの複数の計算エンティティ向けコンフィギュレーションデータであって、
複数の属性と当該コンフィギュレーションデータを特徴づけるセマンティクスとを有するコンフィギュレーションデータを、受け取るステップと、
プロセッサを有する計算システムにより、前記コンフィギュレーションデータのセマンティクスとは無関係に前記複数の属性間の関係を推測して前記コンフィギュレーションデータを解析するステップと、
前記関係に基づいてコンフィギュレーションルールを生成するステップと、
前記コンフィギュレーションルールのうち無効なコンフィギュレーションルールを示すユーザ入力を受けるステップと、
前記コンフィギュレーションルールから前記無効なコンフィギュレーションルールをフィルタリングするステップと、
を含む方法。
【請求項２】
前記受け取るステップが、前記計算エンティティをポーリングするステップと、前記計算エンティティにエージェントを適用するステップの少なくとも１つを通じてコンフィギュレーションデータを収集するステップとをさらに含む、請求項１に記載の方法。
【請求項３】
前記受け取るステップが、データベース中に前記コンフィギュレーションデータを保存するステップをさらに含む、請求項１に記載の方法。
【請求項４】
前記解析するステップが、前記コンフィギュレーションデータを前記解析するステップの前に前処理するステップを含む、請求項１に記載の方法。
【請求項５】
コンフィギュレーション表が前記コンフィギュレーションデータを含み、前記前処理ステップが前記コンフィギュレーション表から列を除去する、請求項４に記載の方法。
【請求項６】
前記コンフィギュレーションルールに対して統計解析を適用するステップをさらに含む、請求項１に記載の方法。
【請求項７】
前記統計解析が前記コンフィギュレーションルールの各々の信頼性を求める、請求項６に記載の方法。
【請求項８】
前記コンフィギュレーションルールに対して後処理を行なうステップをさらに含む、請求項１に記載の方法。
【請求項９】
前記生成されたコンフィギュレーションルールをコンフィギュレーションデータと比較するステップと、
前記コンフィギュレーションデータ中の前記生成されたコンフィギュレーションルールの違反を識別するステップとをさらに含む、請求項１に記載の方法。
【請求項１０】
明確なコンフィギュレーションルールを示すユーザ入力を受けるステップと、
前記コンフィギュレーションルールと前記明確なコンフィギュレーションルールを比較し、組み合わせたコンフィギュレーションルールを生成するステップと、を含む、請求項１に記載の方法。
【請求項１１】
プロセッサを備えたアナライザを有する装置であって、
前記アナライザは、
データセンタの複数の計算エンティティから集めたコンフィギュレーションデータであって、複数の属性と当該コンフィギュレーションデータを特徴づけるセマンティクスとを有するコンフィギュレーションデータを、解析し、
前記コンフィギュレーションデータのセマンティクスとは無関係に前記コンフィギュレーションデータを解析して、前記属性間の関係を推測し、
前記関係に基づいてコンフィギュレーションルールを生成し、
前記コンフィギュレーションルールのうち無効なコンフィギュレーションルールを示すユーザ入力を受け、
前記コンフィギュレーションルールから前記無効なコンフィギュレーションルールをフィルタリングする、
装置。
【請求項１２】
前記複数の計算エンティティ向け前記コンフィギュレーションデータを収集するためのコンフィギュレーションデータ収集システムをさらに備える、請求項１１に記載の装置。
【請求項１３】
前記コンフィギュレーションデータを前処理するためのプリプロセッサをさらに備える、請求項１１に記載の装置。
【請求項１４】
前記アナライザが、前記コンフィギュレーションデータに対してマーケットバスケット解析を行なうことにより、前記複数の計算エンティティからの前記コンフィギュレーションデータ間の関係を推測する請求項１１に記載の装置。
【請求項１５】
前記コンフィギュレーションルールの少なくとも１つに統計解析を適用して前記ルールを確認するポストプロセッサをさらに備える、請求項１１に記載の装置。
【請求項１６】
前記統計解析が前記コンフィギュレーションルールの各々の信頼性を求める、請求項１５に記載の装置。
【請求項１７】
生成されたコンフィギュレーションルールの少なくとも１つとコンフィギュレーションデータに対する所定のルールを比較して、前記コンフィギュレーションデータ中の、前記生成されたコンフィギュレーションルールまたは前記コンフィギュレーションデータに対する所定のルールの違反を識別するための違反アナライザをさらに備える、請求項１１に記載の装置。
【手続補正書】
【提出日】平成26年3月26日(2014.3.26)
【手続補正１】
【補正対象書類名】特許請求の範囲
【補正対象項目名】請求項７
【補正方法】変更
【補正の内容】
【請求項７】
前記加水分解性シリル基及び／またはシラノール基を含有するビニル単量体が、加水分解性シリル基及び／またはシラノール基を含有する（メタ）アクリレートであり、且つ、酸基含有エチレン性不飽和化合物（ａ１２）が、カルボキシル基含有（メタ）アクリレートである請求項１、２又は３に記載の水性硬化性塗料組成物。
【手続補正書】
【提出日】平成26年7月30日(2014.7.30)
【手続補正１】
【補正対象書類名】特許請求の範囲
【補正対象項目名】全文
【補正方法】変更
【補正の内容】
【特許請求の範囲】
【請求項１】
多段タービン（２２）を備えるシステム（１０）であって、前記多段タービン（２２）が、
第１ホイール（３８）周りで周方向に離間された複数の第１スロット（５２）を有する第１ホイール（３８）と、前記第１スロット（５２）のうちの少なくとも１つに各々結合された複数の第１ブレードセグメントとを備える第１タービン段（３４）と、
第２ホイール（３８）周りで周方向に離間された複数の第２スロット（５２）を有する第２ホイール（３８）と、前記第２スロット（５２）のうちの少なくとも１つに各々結合された複数の第２ブレードセグメントとを備える第２タービン段（３４）と、
前記第１タービン段及び前記第２タービン段（３４）の間に軸方向に延びる一体化された段間シール（６０）と、
を備え、
前記一体化された段間シール（６０）が、前記第１ホイール（３８）に結合された第１半径方向支持部（６２）と、前記第２ホイール（３８）に結合された第２半径方向支持部（６２）とを備え、前記一体化された段間シール（６０）が、複数の前記第１スロット（５２）のうちの少なくとも２つ又は複数の前記第２スロット（５２）のうちの少なくとも２つを横切って周方向に延び、
複数の前記第１スロット（５２）が、第１下側半径（７２）と第１上側半径（６８）とを備え、
複数の前記第２スロットが、第２下側半径（７４）と第２上側半径（７０）とを備え、
前記一体化された段間シール（６０）が、前記第１タービン段及び前記第２タービン段（３４）の間に延びる壁を備え、
前記壁が、内側半径（６４）を有し、
前記第１及び第２半径方向支持部（６２）間の壁の最も内側の部分の全長に沿う前記内側半径（６４）が、前記第１下側半径（７２）より大きく且つ前記第２下側半径（７４）よりも大きい又は等しく、
前記第１及び第２半径方向支持部（６２）間の壁の前記最も内側の部分の全長に沿う前記内側半径（６４）が、前記第１上側半径（６８）よりも大きい又は等しく且つ前記第２上側半径（７０）より小さい
ことを特徴とする、システム。
【請求項２】
前記一体化された段間シール（６０）が、複数の前記第１スロット（５２）のすべて及び複数の前記第２スロット（５２）のすべてを横切って周方向に延びる、一体化された環状シール（６０）である、請求項１記載のシステム（１０）。
【請求項３】
前記第１半径方向支持部（６２）が複数の第１半径方向支持突出部（８２）を備え、前記第１半径方向支持突出部（８２）の各々が、前記一体化された段間シール（６０）の半径方向の移動を阻止するために複数の前記第１スロット（５２）のうちの１つに配置される、請求項１記載のシステム（１０）。
【請求項４】
前記第１半径方向支持突出部（８２）の各々が第１ダブテール突出部（８２）を備え、複数の前記第１スロット（５２）の各々がダブテールスロット（５２）を備える、請求項３記載のシステム（１０）。
【請求項５】
前記第１ブレードセグメントの各々が、前記第１半径方向支持突出部（８２）のうちの１つの軸方向の移動を阻止するために複数の前記第１スロット（５２）のうちの１つに配置される、請求項３記載のシステム（１０）。
【請求項６】
複数の前記第１ブレードセグメントが複数の前記第１スロット（５２）から除去されている間、前記一体化された段間シール（６０）が前記第１ホイール（３８）の上を軸方向に動くように構成され、前記第１半径方向支持突出部（８２）の各々が、前記一体化された段間シール（６０）の軸方向の移動中に、複数の前記第１スロット（５２）のうちの１つを通して軸方向に動くように構成されている、請求項５記載のシステム（１０）。
【請求項７】
前記第２半径方向支持部（６２）が複数の第２半径方向支持突出部（８２）を備え、前記第２半径方向支持突出部（８２）の各々が、前記一体化された段間シール（６０）の半径方向の移動を阻止するために複数の前記第２スロット（５２）のうちの１つに配置される、請求項３記載のシステム（１０）。
【請求項８】
前記第２半径方向支持部（６２）が、前記一体化された段間シール（６０）の半径方向の移動を阻止するために前記第２ホイール（３８）の半径方向当接部と接触するように構成された少なくとも１つの軸方向支持突出部（８４）を備える、請求項３記載のシステム（１０）。
【請求項９】
前記多段タービン（２２）を含むタービンエンジンと、少なくとも１つの燃焼器と、少なくとも１つの圧縮機とを更に備える請求項１乃至８のいずれか１項に記載のシステム（１０）。
【手続補正書】
【提出日】平成26年7月25日(2014.7.25)
【手続補正１】
【補正対象書類名】特許請求の範囲
【補正対象項目名】全文
【補正方法】変更
【補正の内容】
【特許請求の範囲】
【請求項１】
ガスタービンの燃料供給システム内の液体燃料に関わる腐食又は腐食性汚染物質を前記燃料供給システム内に配置された１つ以上のセンサを用いて監視するステップと、
少なくとも部分的に前記監視に基づいて、ガスタービンに関わる１つ以上の高温ガス経路（ＨＧＰ）部品の腐食の累積レベルを予測するステップと、
前記監視に関わる情報を出力するステップと
を含む方法。
【請求項２】
前記腐食の累積レベルを予測するステップが、前記１つ以上のＨＧＰ部品に関わる余命の推測を含む、請求項１に記載の方法。
【請求項３】
少なくとも部分的に前記監視に基づいて、前記ガスタービンに関わる前記１つ以上のＨＧＰ部品の予防的保守を実行するステップを更に含む、請求項１又は請求項２に記載の方法。
【請求項４】
少なくとも部分的に前記監視に基づいて、前記燃料供給システム内に１種以上の腐食防止剤を注入するステップを更に含む、請求項１乃至請求項３のいずれか１項に記載の方法。
【請求項５】
前記監視するステップが、オンライン、連続的、又は現場測定のうちの少なくとも１つの実施を含む、請求項１乃至請求項４のいずれか１項に記載の方法。
【請求項６】
前記監視するステップが、１つ以上の線形分極抵抗（ＬＰＲ）センサを使用して、液体燃料に関わる腐食又は腐食性汚染物質の測定を含む、請求項１乃至請求項５のいずれか１項に記載の方法。
【請求項７】
前記監視するステップが、１つ以上のセンサを使用して、液体燃料に関わる腐食又は腐食性汚染物質の測定を含み、前記１つ以上のセンサが、線形分極抵抗（ＬＰＲ）センサ、犠牲電極、水分センサ、密度センサ、又は粘度センサのうちの少なくとも１つを含む、請求項１乃至請求項５のいずれか１項に記載の方法。
【請求項８】
前記監視に関わる情報の少なくとも一部を記憶するステップと、少なくとも部分的に前記記憶された情報に基づいて、腐食事象傾向を判断するステップとを更に含む、請求項１乃至請求項７のいずれか１項に記載の方法。
【請求項９】
ガスタービン（１２６）と、
前記ガスタービン（１２６）に液体燃料を送達するための少なくとも１つの燃料供給管（１２４）であって、１つ以上のセンサ（１２２）と連絡している少なくとも１つの燃料供給管（１２４）と、
前記少なくとも１つの燃料供給管（１２４）に配置された前記１つ以上のセンサ（１２２）と、
データ（１１４）及びコンピュータ実行可能命令を記憶するための少なくとも１つのメモリ（１０４）と、
前記少なくとも１つのメモリ（１０４）にアクセスするように構成され、更に前記コンピュータ実行可能命令を実行するように構成されている、少なくとも１つのプロセッサ（１０６）と
を備え、
前記命令は、
前記１つ以上のセンサ（１２２）を用いて、前記液体燃料に関わる腐食又は腐食性汚染物質を監視すること、
少なくとも部分的に前記監視に基づいて、ガスタービン（１２６）に関わる１つ以上の高温ガス経路（ＨＧＰ）部品の腐食の累積レベルを予測すること、及び
監視に関わる信号を出力すること
であることを特徴とする、システム。
【請求項１０】
燃料供給タンク（１２８）、及び前記燃料供給タンク（１２８）内の液体燃料に関わる腐食又は腐食性汚染物質を監視するための１つ以上の燃料供給センサ（１３０）を更に含み、前記１つ以上の燃料供給センサが、線形分極抵抗（ＬＰＲ）センサ、犠牲電極、水分センサ、密度センサ、又は粘度センサのうちの少なくとも１つを含む、請求項９に記載のシステム。
【手続補正書】
【提出日】平成26年6月11日(2014.6.11)
【手続補正１】
【補正対象書類名】特許請求の範囲
【補正対象項目名】全文
【補正方法】変更
【補正の内容】
【特許請求の範囲】
【請求項１】
反応空間に、導電膜を配置し、
前記反応空間に、シリコンを含む原料ガスを供給し、低圧化学的気相堆積法により、前記導電膜上に半導体領域を形成し、
前記原料ガスの供給を停止した後、前記半導体領域に加熱処理を行い、
前記加熱処理を行った半導体領域は、複数のウィスカーを有することを特徴とする半導体領域の形成方法。
【請求項２】
請求項１において、
前記導電膜は、シリコンと反応してシリサイドを形成することができる金属元素で形成されることを特徴とする半導体領域の形成方法。
【請求項３】
請求項１または請求項２において、
前記導電膜は、ジルコニウム、チタン、ハフニウム、バナジウム、ニオブ、タンタル、クロム、モリブデン、タングステン、コバルト、またはニッケルを有することを特徴とする半導体領域の形成方法。
【請求項４】
請求項１乃至請求項３のいずれか一項において、
前記低圧化学的気相堆積法は、５５０℃より高い温度で行うことを特徴とする半導体領域の形成方法。
【請求項５】
請求項１乃至請求項４のいずれか一項において、
前記加熱処理は、５５０℃より高い温度で行うことを特徴とする半導体領域の形成方法。
【請求項６】
請求項１乃至請求項５のいずれか一項において、
前記シリコンを含む原料ガスは、水素化シリコン、フッ化シリコン、または塩化シリコンを有することを特徴とする半導体領域の形成方法。
【請求項７】
反応空間に、導電膜を配置し、
前記反応空間に、シリコンを含む原料ガスを供給し、低圧化学的気相堆積法により、前記導電膜上に半導体領域を形成し、
前記原料ガスの供給を停止した後、前記半導体領域に加熱処理を行い、
前記導電膜と、前記加熱処理を行った半導体領域と、を有する電極を形成し、
前記加熱処理を行った半導体領域は、複数のウィスカーを有することを特徴とする蓄電装置の作製方法。
【手続補正書】
【提出日】平成26年6月24日(2014.6.24)
【手続補正１】
【補正対象書類名】特許請求の範囲
【補正対象項目名】全文
【補正方法】変更
【補正の内容】
【特許請求の範囲】
【請求項１】
ヘルメットの帽体に装着する帽体カバーであって、
発泡層を有する軟質の合成樹脂シートによって形成された略半球状の外殻体を有するとともに、
当該外殻体の下端縁に前記帽体の下端縁と係合する溝を形成した縁部材を設けたことを特徴とする帽体カバー。
【請求項２】
前記外殻体の複数箇所に表裏貫通する孔を設けるとともに、
当該孔の外周囲に表面からの高さが次第に低くなるように形成した段差部若しくは傾斜部を設けたことを特徴とする請求項１記載の帽体カバー。
【請求項３】
前記外殻体の一部に、表面からの高さを低く形成した凹所を複数カ所設けたことを特徴とする請求項１または請求項２記載の帽体カバー。
【請求項４】
発泡素材によって下層部を形成するとともに、
表面層を前記発泡素材よりも硬質の樹脂素材によって形成したことを特徴とする請求項１乃至請求項３の何れか１項に記載の帽体カバー。
【手続補正２】
【補正対象書類名】明細書
【補正対象項目名】発明の名称
【補正方法】変更
【補正の内容】
【発明の名称】ヘルメットの帽体カバー
【手続補正書】
【提出日】平成26年7月16日(2014.7.16)
【手続補正１】
【補正対象書類名】特許請求の範囲
【補正対象項目名】全文
【補正方法】変更
【補正の内容】
【特許請求の範囲】
【請求項１】
ステム（２２０）の外側表面上のねじに対する相補的な形状を有する内側表面上のねじと座ぐり穴（２８０）とを有するフランジ（２３０）であって、回転によって前記ステム（２２０）がフランジ（２３０）を貫通して移動できるように構成されたフランジ（２３０）と、
前記ステム（２２０）の前記外側表面上のねじに対する相補的な形状を有する内側表面上のねじと溝（２７０）とを有するナット（２４０）であって、回転によって前記ステム（２２０）に対して移動するように構成されたナット（２４０）と、
前記ステム（２２０）の前記外側表面上のねじに対する相補的な形状を有する内側表面上のねじを有する可撓性シール（２５０）であって、回転によって前記ステム（２２０）に対して移動するように構成されており、前記フランジ（２３０）内の前記座ぐり穴（２８０）を充填するように構成された第１の部分（２９０）と、前記ナット（２４０）の前記溝（２７０）を充填するように構成された第２の部分（３００）とを有する可撓性シール（２５０）と、
を備える、ねじ継手（２００）。
【請求項２】
前記可撓性シール（２５０）が、硫化水素（Ｈ2Ｓ）に起因する腐蝕に対して耐性のある材料から作られる、請求項１に記載のねじ継手。
【請求項３】
前記可撓性シール（２５０）が約７５のデュロメータ値を有するポリマーから作られる、請求項１に記載のねじ継手。
【請求項４】
前記可撓性シール（２５０）の前記第１の部分（２９０）が、前記第２の部分（３００）の外径より小さな外径を有する、請求項１に記載のねじ継手。
【請求項５】
前記ナット（２４０）は、回転軸に対して直角な横断面で６角形を形成する、長方形の側面から作られる外側表面を有する、請求項１に記載のねじ継手。
【請求項６】
前記可撓性シールが前記溝（２７０）および前記座ぐり穴（２８０）内に完全に設けられる、請求項１に記載のねじ継手。
【請求項７】
前記可撓性シール（２５０）が、前記フランジ（２３０）および前記ナット（２４０）によって覆われ、周囲に露出される外側表面を有さない、請求項１に記載のねじ継手。
【請求項８】
前記ステム（２２０）の周りに形成されており、前記ステム（２２０）が、高圧力を有する流体を閉じ込める容器（１０）の内側の第１の端部と前記容器（１０）の外側の第２の端部とを有し、前記フランジ（２３０）が、前記容器（１０）の内側に向かう１つの側面と、前記容器（１０）の外側に向かう１つの側面とを有し、前記可撓性シール（２５０）および前記ナット（２４０）が前記容器（１０）の外側の前記ステム（２２０）上に載置される、請求項１に記載のねじ継手。
【請求項９】
外側表面上に第１のねじを有するステム（２２０）を、回転によって、内側表面上に第２のねじを有するフランジ（２３０）を貫通して移動させるステップ（Ｓ８１０）であって、前記第２のねじが前記第１のねじに対する相補的な形状を有するステップと、
内側表面上に第３のねじを有する可撓性シール（２５０）を、前記可撓性シール（２５０）の第１の部分（２９０）が前記フランジ（２３０）内の座ぐり穴（２８０）を充填するまで、回転によって、前記ステム（２２０）に沿って、前記フランジ（２３０）に向かって移動させるステップ（Ｓ８２０）であって、前記第３のねじが前記第１のねじに対する相補的な形状を有するステップと、
内側表面上に第４のねじを有するナット（２４０）を、前記可撓性シール（２５０）の第２の部分（３００）が前記ナット（２４０）の内側の溝（２７０）を充填するまで、回転によって、前記ステム（２２０）に沿って、前記フランジ（２３０）に向かって移動させるステップ（Ｓ８３０）であって、前記第４のねじが前記第１のねじに対する相補的な形状を有するステップと、
前記可撓性シール（２５０）の前記第２の部分（３００）が前記ナット（２４０）の内側の前記溝（２７０）を充填した後、前記ナット（２４０）に所定のトルクを加えるステップ（Ｓ８４０）と、
を含む、ねじ継手を封止する方法。
【請求項１０】
外側表面上にねじを有するステム（２２０）を含むねじ継手を封止するためのツーピースのシールナットであって、
前記ステム（２２０）を取り囲み、前記ステム（２２０）に沿って移動するように構成されており、溝（２７０）を有するナット（２４０）と、
前記ステム（２２０）を保持するフランジ（２３０）の内側で、前記ステム（２２０）を取り囲み、前記ステム（２２０）に沿って移動するように構成されており、前記フランジ内の座ぐり穴（２８０）を充填するように構成された第１の部分（２９０）と、前記ナット（２４０）内の前記溝（２７０）を充填するように構成された第２の部分（３００）とを有するように構成された可撓性シール（２５０）と、
を備える、ツーピースのシールナット。
【請求項１１】
前記可撓性シール（２５０）と前記ナット（２４０）がそれぞれの内側表面上にねじを有し、前記可撓性シール（２５０）と前記ナット（２４０）の前記ねじが、前記ねじ切りされたステム（２２０）の外側表面上の前記ねじの形状に対する相補的な形状を有する、請求項１０に記載のツーピースのシールナット。
【請求項１２】
前記可撓性シール（２５０）が、硫化水素（Ｈ2Ｓ）に起因する腐蝕に対し耐性のある材料から作られる、請求項１０に記載のツーピースのシールナット。
【請求項１３】
前記可撓性シール（２５０）が、約７５のデュロメータ値を有するポリマーから作られる、請求項１０に記載のツーピースのシールナット。
【請求項１４】
前記可撓性シール（２５０）の前記第１の部分（２９０）が、前記第２の部分（３００）の外径より小さな外径を有する、請求項１０に記載のツーピースのシールナット。
【請求項１５】
ねじ切りされたステム（２２０）を保持するフランジ（２３０）内の座ぐり穴（２８０）を充填するように構成された第１の部分（２９０）と、
ナット（２４０）の溝（２７０）を充填するように構成されており、前記第１の部分（２９０）の直径と異なる直径を有する第２の部分（３００）と、
を備え、
前記第１の部分（２９０）と前記第２の部分（３００）が、内側孔の表面上に前記可撓性シール（２５０）が前記ねじ切りされたステム（２２０）に沿って移動できるように構成されたねじを有し、前記可撓性シール（２５０）の前記ねじが前記ねじ切りされたステム（２２０）の外側表面上のねじに対する相補的な形状を有する、
可撓性シール（２５０）。
【手続補正書】
【提出日】平成26年7月4日(2014.7.4)
【手続補正１】
【補正対象書類名】特許請求の範囲
【補正対象項目名】全文
【補正方法】変更
【補正の内容】
【特許請求の範囲】
【請求項１】
構造化有機膜（ＳＯＦ）であって、複数のセグメントと、複数のリンカーとが共有結合による有機骨格（ＣＯＦ）として整列したものを含み、前記ＳＯＦの前記骨格が、リンカー基を介して前記ＳＯＦの前記骨格に結合したキャッピングユニットを含む、ＳＯＦ。
【請求項２】
前記キャッピングユニットが、前記ＳＯＦの前記セグメントの少なくとも１％に結合している、請求項１に記載のＳＯＦ。
【請求項３】
前記キャッピングユニットが、どのセグメントにも結合していない化学部分または官能基を含む、請求項１に記載のＳＯＦ。
【請求項４】
キャッピングされた構造化有機膜を調製するプロセスであって、
（ａ）
それぞれ１個のセグメントと複数の官能基とを含む複数の分子ビルディングブロックと、
キャッピングユニット分子とを含む、
液体を含有する反応混合物を調製することと；
（ｂ）前記反応混合物を濡れた膜として堆積させることと；
（ｃ）前記濡れた膜の変化を促進し、ＳＯＦ内に結合したキャッピングユニットを含む、乾燥したＳＯＦを形成することとを含む、プロセス。
【請求項５】
前記キャッピングユニット分子が、前記濡れた膜の変化を促進して乾燥したＳＯＦを形成する間に、リンカーを介して前記キャッピングユニット分子を前記セグメントに接続する化学反応に関与するような１個の官能基を含む、請求項４に記載のプロセス。
【請求項６】
前記キャッピングユニット分子が、前記濡れた膜の変化を促進して乾燥したＳＯＦを形成する間に、前記キャッピングユニット分子を前記セグメントに接続する化学反応に関与しない１個以上の化学部分または官能基を含む、請求項４に記載のプロセス。
【手続補正書】
【提出日】平成26年5月16日(2014.5.16)
【手続補正１】
【補正対象書類名】明細書
【補正対象項目名】００６０
【補正方法】変更
【補正の内容】
【００６０】
１：            一酸化炭素変成装置
２：            反応管
３：            第１触媒層
４：            第２触媒層
５：            入口
６：            出口
１１〜１３：    供給管
１４：          混合ガス供給管
１５：          気化器
１６：          水タンク
１７：          水供給管
１８：          電気炉
１９：          マントルヒータ
２０，２２：    排気管
２１：          ドレインタンク（冷却器）
２３：          ガスクロマトグラフィー分析装置
２４：          一酸化炭素選択酸化器
２５：          空気ポンプ
２６：          冷却水ポンプ
Ｇ０：          被処理ガス（反応ガス）
Ｇ１、Ｇ１’：  処理済ガス
Ｇ２：          処理済ガス（選択酸化後）
【手続補正２】
【補正対象書類名】図面
【補正対象項目名】図１４
【補正方法】変更
【補正の内容】
【図１４】
2012031055.tif 000001
【手続補正書】
【提出日】平成26年10月24日(2014.10.24)
【手続補正１】
【補正対象書類名】特許請求の範囲
【補正対象項目名】請求項８
【補正方法】変更
【補正の内容】
【請求項８】
請求項１〜６いずれか１項に記載の感光性樹脂組成物と、難燃剤とを含む、感光性ソルダーレジストインキ。
【手続補正２】
【補正対象書類名】特許請求の範囲
【補正対象項目名】請求項９
【補正方法】変更
【補正の内容】
【請求項９】
請求項１〜６いずれか１項に記載の感光性樹脂組成物と、難燃剤とを含む、ドライフィルム型感光性ソルダーレジスト。
【手続補正書】
【提出日】平成26年5月27日(2014.5.27)
【手続補正１】
【補正対象書類名】明細書
【補正対象項目名】００１２
【補正方法】変更
【補正の内容】
【００１２】
本発明に係る光電式分離型感知器は、光軸調整機構部に配設されている発光素子と、発光素子とは分離して配置され、光軸調整機構部により光軸調整された発光素子から投光された光線を受光する受光素子と、受光素子による受光量の変化によって煙発生の有無を監視するコントローラと、コントローラによる制御状態を表示可能な表示灯群とを備えた光電式分離型感知器であって、コントローラは、調整員による光軸調整機構部の操作に基づいて発光素子から投光される光線の軸調整を行う光軸調整モードにおいて、光軸調整機構部の操作に応じて変化する受光素子による受光量をサンプリングし、サンプリング結果から、受光量が所定範囲内に収まっている場合、受光量が所定範囲から上昇した場合、受光量が所定範囲から低下した場合を、それぞれ区別可能な異なる点灯／点滅パターンにより表示灯群を介して識別表示するものである。
【手続補正２】
【補正対象書類名】明細書
【補正対象項目名】００１３
【補正方法】変更
【補正の内容】
【００１３】
また、本発明に係る光電式分離型感知器の光軸調整方法は、光軸調整機構部に配設されている発光素子と、発光素子とは分離して配置され、光軸調整機構部により光軸調整された発光素子から投光された光線を受光する受光素子と、受光素子による受光量の変化によって煙発生の有無を監視するコントローラと、コントローラによる制御状態を表示可能な表示灯群とを備えた光電式分離型感知器の光軸調整方法であって、調整員による光軸調整機構部の操作に基づいて発光素子から投光される光線の軸調整を行う光軸調整モードにおいて、コントローラにより実行されるステップとして、光軸調整機構部の操作に応じて変化する受光素子による受光量をサンプリングするサンプリングステップと、サンプリング結果から、受光量が所定範囲内に収まっている第１の状態、受光量が所定範囲から上昇した第２の状態、受光量が所定範囲から低下した第３の状態のいずれであるかを識別する識別ステップと、第１の状態、第２の状態、および第３の状態を、区別可能な異なる点灯／点滅パターンにより表示灯群を介して識別表示する表示ステップとを備えるものである。
【手続補正３】
【補正対象書類名】特許請求の範囲
【補正対象項目名】全文
【補正方法】変更
【補正の内容】
【特許請求の範囲】
【請求項１】
光軸調整機構部に配設されている発光素子と、
前記発光素子とは分離して配置され、前記光軸調整機構部により光軸調整された前記発光素子から投光された光線を受光する受光素子と、
前記受光素子による受光量の変化によって煙発生の有無を監視するコントローラと、
前記コントローラによる制御状態を表示可能な表示灯群と
を備えた光電式分離型感知器であって、
前記コントローラは、調整員による光軸調整機構部の操作に基づいて前記発光素子から投光される光線の軸調整を行う光軸調整モードにおいて、前記光軸調整機構部の操作に応じて変化する前記受光素子による受光量をサンプリングし、サンプリング結果から、前記受光量が所定範囲内に収まっている場合、前記受光量が所定範囲から上昇した場合、前記受光量が所定範囲から低下した場合を、それぞれ区別可能な異なる点灯／点滅パターンにより前記表示灯群を介して識別表示する
ことを特徴とする光電式分離型感知器。
【請求項２】
請求項１に記載の光電式分離型感知器において、
前記コントローラは、調整員による前記光軸調整機構部の操作が行われる前に、前記発光素子からの発光量を変化させ、変化させた前記発光量に対応する前記受光素子による受光量の計測結果に基づいて、光軸調整を開始するために適した所定の初期受光量が得られるように前記発光素子からの発光量を初期設定する
ことを特徴とする光電式分離型感知器。
【請求項３】
請求項１または２に記載の光電式分離型感知器において、
光軸調整完了を知らせるための完了ボタンをさらに備え、
前記コントローラは、調整員により前記完了ボタンが押された場合には、前記光軸調整機構部の操作により光軸調整が完了したと判断し、前記発光素子からの発光量を変化させ、変化させた前記発光量に対応する前記受光素子による受光量の計測結果に基づいて、光軸調整後の監視モードに適した所定の監視受光量が得られるように前記発光素子からの発光量を初期設定する
ことを特徴とする光電式分離型感知器。
【請求項４】
光軸調整機構部に配設されている発光素子と、
前記発光素子とは分離して配置され、前記光軸調整機構部により光軸調整された前記発光素子から投光された光線を受光する受光素子と、
前記受光素子による受光量の変化によって煙発生の有無を監視するコントローラと、
前記コントローラによる制御状態を表示可能な表示灯群と
を備えた光電式分離型感知器の光軸調整方法であって、
調整員による光軸調整機構部の操作に基づいて前記発光素子から投光される光線の軸調整を行う光軸調整モードにおいて、コントローラにより実行されるステップとして、
前記光軸調整機構部の操作に応じて変化する前記受光素子による受光量をサンプリングするサンプリングステップと、
サンプリング結果から、前記受光量が所定範囲内に収まっている第１の状態、前記受光量が所定範囲から上昇した第２の状態、前記受光量が所定範囲から低下した第３の状態のいずれであるかを識別する識別ステップと、
前記第１の状態、前記第２の状態、および前記第３の状態を、区別可能な異なる点灯／点滅パターンにより前記表示灯群を介して識別表示する表示ステップと
を備えることを特徴とする光電式分離型感知器の光軸調整方法。
【手続補正書】
【提出日】平成26年5月8日(2014.5.8)
【手続補正１】
【補正対象書類名】特許請求の範囲
【補正対象項目名】全文
【補正方法】変更
【補正の内容】
【特許請求の範囲】
【請求項１】
プラントを構成するプラント機器の経年劣化に伴うプロセス量の変化の予測値と、プラント機器のプロセス量の実測値とを定期的に比較し、比較時の経年に相当する前記予測値と比較時の前記実測値との違いが所定量以上であれば経年劣化による故障の兆候があるものと判定するプラント機器の経年劣化故障兆候判定システム。
【請求項２】
請求項１に記載のプラント機器の経年劣化故障兆候判定システムにおいて、前記プラント機器の実測されたプロセス量を入力し前記プラントを監視制御するオペレータステーションが、前記プラント機器の経年劣化に伴うプロセス量の変化の予測値と、プラント機器のプロセス量の実測値とを定期的に比較し、比較時の経年に相当する前記予測値と比較時の前記実測値との違いが所定量以上であれば経年劣化による故障の兆候があるものと判定することを特徴とするプラント機器の経年劣化故障兆候判システム。
【請求項３】
請求項１または請求項２に記載のプラント機器の経年劣化故障兆候判定システムにおいて、前記判定された経年劣化故障兆候とその原因とを関連付けてデータベースに保存することを特徴とするプラント機器の経年劣化故障兆候判定システム。
【請求項４】
請求項３に記載のプラント機器の経年劣化故障兆候判定システムにおいて、前記データベースに格納されたデータから、前記原因となるプロセスデータを監視することにより実際の経年劣化による故障兆候を検知することを特徴とするプラント機器の経年劣化故障兆候判定システム。
【請求項５】
請求項３に記載のプラント機器の経年劣化故障兆候判定システムにおいて、記データベースに格納されたデータを解析することにより、原因として頻出する原因事項を改善点として提案することを特徴とするプラント機器の経年劣化故障兆候判定システム。
【請求項６】
請求項１に記載のプラント機器の経年劣化故障兆候判定システムにおいて、前記比較時の経年に相当する前記予測値と比較時の前記実測値との違いが所定量以上であれば警報を出力すると共に、前記プラントを構成する前記プラント機器の運転ガイダンスを出力することを特徴とするプラント機器の経年劣化故障兆候判定システム。
【請求項７】
請求項６に記載のプラント機器の経年劣化故障兆候判定システムにおいて、前記警報および前記運転ガイダンスを出力する度に前記プラント機器の経年劣化に伴うプロセス量の変化の予測値を計算することを特徴とするプラント機器の経年劣化故障兆候判定システム。
【請求項８】
請求項１〜請求項６の何れか一に記載のプラント機器の経年劣化故障兆候判定システムにおいて、前記予測値と前記実測値との差異が基準値以上であれば経年劣化による故障の兆候があるものと判定するプラント機器の経年劣化故障兆候判定システム。
【請求項９】
請求項１〜請求項６の何れか一に記載のプラント機器の経年劣化故障兆候判定システムにおいて、前記予測値と前記実測値との差異の積分値が基準値以上であれば経年劣化による故障の兆候があるものと判定するプラント機器の経年劣化故障兆候判定システム。
【請求項１０】
請求項１〜請求項６の何れか一に記載のプラント機器の経年劣化故障兆候判定システムにおいて、前記予測値と前記実測値との差異の変化の度合いが基準値以上であれば経年劣化による故障の兆候があるものと判定するプラント機器の経年劣化故障兆候判定システム。
【手続補正書】
【提出日】平成26年9月8日(2014.9.8)
【手続補正１】
【補正対象書類名】特許請求の範囲
【補正対象項目名】全文
【補正方法】変更
【補正の内容】
【特許請求の範囲】
【請求項１】
ユーザの端末から特定の商品を指定した表示要求を受信する受信部と、
商品の購入履歴又は閲覧履歴を示すアクセス履歴を記憶するアクセス履歴記憶部を参照して、過去に前記ユーザが購入又は閲覧した商品を特定するアクセス履歴取得部と、
商品の組合せの画像を記憶する画像記憶部から、前記表示要求で指定された商品と前記アクセス履歴取得部により特定された商品との組合せの画像を抽出する画像抽出部と、
前記画像抽出部によって抽出された画像を含む情報を前記端末に送信する送信部と、
を備える情報提供装置。
【請求項２】
前記画像抽出部が、前記画像記憶部から、前記表示要求で指定された商品を含むが、前記アクセス履歴取得部により特定された商品を含まない画像を更に抽出し、
前記表示要求で指定された商品と前記アクセス履歴取得部により特定された商品との組合せの画像が、前記表示要求で指定された商品を含むが、前記アクセス履歴取得部により特定された商品を含まない画像よりも目立つように前記端末に表示される、
請求項１に記載の情報提供装置。
【請求項３】
前記表示要求が、商品の検索条件を示すクエリーであり、
前記画像抽出部が、前記画像記憶部から、前記検索条件を満たす商品を含むが、前記アクセス履歴取得部により特定された商品を含まない画像を更に抽出し、
前記検索条件を満たす商品と前記アクセス履歴取得部により特定された商品との組合せの画像が、前記検索条件を満たす商品を含むが、前記アクセス履歴取得部により特定された商品を含まない画像よりも目立つように前記端末に表示される、
請求項１に記載の情報提供装置。
【請求項４】
前記画像記憶部が、前記ユーザとは異なる他のユーザが投稿した画像を記憶する、
請求項１〜３の何れか一項に記載の情報提供装置。
【請求項５】
前記画像記憶部が、外部のインターネットサイトに前記他のユーザが投稿した画像を記憶する、
請求項４に記載の情報提供装置。
【請求項６】
前記他のユーザが投稿した画像を閲覧したユーザによって商品が購入された場合に、前記他のユーザに所定の報酬を付与する報酬付与部を更に備える、
請求項４又は５に記載の情報提供装置。
【請求項７】
前記表示要求で指定された商品と前記アクセス履歴取得部により特定された商品との組合せの画像が前記画像記憶部に追加されたことを契機として、前記ユーザに該画像に関する情報を通知する通知部を更に備える、
請求項４又は５に記載の情報提供装置。
【請求項８】
前記他のユーザにより投稿された画像が、使用者が商品の組合せを着用している場面を映した着用場面画像であるか否かを判定する第１判定部を更に備え、
前記第１判定部により前記他のユーザにより投稿された画像が前記着用場面画像でないと判定された場合には、前記送信部が、該画像を前記端末に送信しない、
請求項４〜７の何れか一項に記載の情報提供装置。
【請求項９】
前記表示要求で指定された商品を映した第１の基準画像の特徴点が前記他のユーザにより投稿された画像に所定割合以上存在し、且つ、前記アクセス履歴取得部により特定された商品を映した第２の基準画像の特徴点が前記投稿された画像に所定割合以上含まれているか否かを判定する第２判定部を更に備え、
前記第２判定部により他のユーザにより投稿された画像に前記第１及び前記第２の基準画像の特徴点がそれぞれ所定割合以上存在しないと判定された場合には、前記送信部が、該画像を前記端末に送信しない、
請求項４〜７の何れか一項に記載の情報提供装置。
【請求項１０】
前記表示要求で指定された商品と前記アクセス履歴取得部により特定された商品との組合せの画像が存在しない場合に、前記画像抽出部が、前記表示要求で指定された商品に設定されたデフォルトの画像を抽出する、
請求項１〜９の何れか一項に記載の情報提供装置。
【請求項１１】
前記ユーザの身体的特徴を取得する身体情報取得部を更に備え、
前記画像記憶部が、身体的特徴に関する情報を含む商品の組合せの画像を記憶し、
前記画像抽出部が、前記表示要求で指定された商品と前記アクセス履歴取得部により特定された商品との組合せの画像であって、前記ユーザの身体的特徴に対応する画像を前記画像記憶部から抽出する、
請求項１〜１０の何れか一項に記載の情報提供装置。
【請求項１２】
ユーザの端末から特定の商品を指定した表示要求を受信する受信ステップと、
商品の購入履歴又は閲覧履歴を示すアクセス履歴を記憶するアクセス履歴記憶部を参照して、過去に前記ユーザが購入又は閲覧した商品を特定するアクセス履歴取得ステップと、
商品の組合せの画像を記憶する画像記憶部から、前記表示要求で指定された商品と前記アクセス履歴取得ステップおいて特定された商品との組合せの画像を抽出する画像抽出ステップと、
前記画像抽出ステップにおいて抽出された画像を含む情報を前記端末に送信する送信ステップと、
を含む情報提供方法。
【請求項１３】
コンピュータを、
ユーザの端末から特定の商品を指定した表示要求を受信する受信部と、
商品の購入履歴又は閲覧履歴を示すアクセス履歴を記憶するアクセス履歴記憶部を参照して、過去に前記ユーザが購入又は閲覧した商品を特定するアクセス履歴取得部と、
商品の組合せの画像を記憶する画像記憶部から、前記表示要求で指定された商品と前記アクセス履歴取得部により特定された商品との組合せの画像を抽出する画像抽出部と、
前記画像抽出部によって抽出された画像を含む情報を前記端末に送信する送信部と、
して機能させる情報提供プログラム。
【請求項１４】
コンピュータを、
ユーザの端末から特定の商品を指定した表示要求を受信する受信部と、
商品の購入履歴又は閲覧履歴を示すアクセス履歴を記憶するアクセス履歴記憶部を参照して、過去に前記ユーザが購入又は閲覧した商品を特定するアクセス履歴取得部と、
商品の組合せの画像を記憶する画像記憶部から、前記表示要求で指定された商品と前記アクセス履歴取得部により特定された商品との組合せの画像を抽出する画像抽出部と、
前記画像抽出部によって抽出された画像を含む情報を前記端末に送信する送信部と、
して機能させる情報提供プログラムを記録したコンピュータ読み取り可能な記録媒体。
【手続補正書】
【提出日】平成26年9月30日(2014.9.30)
【手続補正１】
【補正対象書類名】特許請求の範囲
【補正対象項目名】全文
【補正方法】変更
【補正の内容】
【特許請求の範囲】
【請求項１】
ユーザの端末から商品の表示要求を受信する受信部と、
前記ユーザの身体的特徴を取得する身体情報取得部と、
画像を特定するための画像ＩＤと、該画像に写る商品を特定するための商品ＩＤと、該商品を使用した状態で前記画像に写る使用者の身体的特徴に関する情報と、が関連付けられたコンテンツ情報を記憶するコンテンツ記憶部から、前記表示要求で示される商品に対応する商品ＩＤを含む前記コンテンツ情報を取得した後に、前記ユーザの身体的特徴と前記コンテンツ情報の前記使用者の身体的特徴に関する情報とを比較することによって、取得した前記コンテンツ情報から前記ユーザの身体的特徴と同一又は類似の身体的特徴を有する前記使用者の身体的特徴に関する情報を含む前記コンテンツ情報を抽出する検索部と、
前記検索部によって抽出された前記コンテンツ情報に含まれる画像ＩＤに対応する画像を前記端末に送信する送信部と、を備える情報提供装置。
【請求項２】
前記コンテンツ記憶部が、前記ユーザとは異なる他のユーザが投稿した画像を記憶する、請求項１に記載の情報提供装置。
【請求項３】
前記コンテンツ記憶部が、外部のインターネットサイトに前記他のユーザが投稿した画像を記憶する、請求項２に記載の情報提供装置。
【請求項４】
前記他のユーザが投稿した画像を閲覧したユーザによって商品が購入された場合に、前記他のユーザに所定の報酬を付与する報酬付与部を更に備える、請求項２又は３に記載の情報提供装置。
【請求項５】
前記画像が、前記使用者が商品を着用している場面を映した画像である、請求項４に記載の情報提供装置。
【請求項６】
前記他のユーザにより投稿された画像が、使用者が商品を着用している場面を映した着用場面画像であるか否かを判定する第１判定部を更に備え、
前記第１判定部により前記他のユーザにより投稿された画像が前記着用場面画像でないと判定された場合には、前記送信部が、該画像を前記端末に送信しない、請求項５に記載の情報提供装置。
【請求項７】
商品を映した基準画像の特徴点が前記他のユーザにより投稿された画像に所定割合以上存在し、且つ、該投稿された画像に含まれた前記基準画像の特徴点が該投稿された画像の所定範囲に分散して存在するか否かを判定する第２判定部を更に備え、
前記第２判定部により他のユーザにより投稿された画像に前記特徴点が所定割合以上存在しないと判定された場合、又は、前記特徴点が前記他のユーザにより投稿された画像の所定範囲に分散して存在しないと判定された場合には、前記送信部が、該画像を前記端末に送信しない、請求項２〜５の何れか一項に記載の情報提供装置。
【請求項８】
前記表示要求で示される商品の画像であって、前記ユーザの身体的特徴と同一又は類似の身体的特徴を含む画像が存在しない場合に、前記検索部が、該商品に設定されたデフォルトのコンテンツを抽出する、請求項１〜７の何れか一項に記載の情報提供装置。
【請求項９】
所定のユーザによる商品の購入履歴に基づいて、購入された商品のサイズを身体的特徴毎に集計した集計情報を取得する集計部と、
前記ユーザの身体的特徴及び前記集計部により取得された集計情報に基づいて、前記ユーザに商品のサイズに関する情報を提示する集計情報検索部と、をさらに備える請求項１〜８の何れか一項に記載の情報提供装置。
【請求項１０】
商品の購入履歴又は閲覧履歴を示すアクセス履歴を記憶するアクセス履歴記憶部を参照して、過去に前記ユーザが購入又は閲覧した商品を特定するアクセス履歴取得部を更に備え、
前記検索部が、前記コンテンツ記憶部から、前記表示要求で示される商品と前記ユーザの身体的特徴とに対応する画像であって、前記アクセス履歴取得部により特定された商品に対応する画像を抽出する、請求項１〜９の何れか一項に記載の情報提供装置。
【請求項１１】
ユーザの端末から商品の表示要求を受信する受信ステップと、
前記ユーザの身体的特徴を取得する身体情報取得ステップと、
画像を特定するための画像ＩＤと、該画像に写る商品を特定するための商品ＩＤと、該商品を使用した状態で前記画像に写る使用者の身体的特徴に関する情報と、が関連付けられたコンテンツ情報を記憶するコンテンツ記憶部から、前記表示要求で示される商品に対応する商品ＩＤを含む前記コンテンツ情報を取得した後に、前記ユーザの身体的特徴と前記コンテンツ情報の前記使用者の身体的特徴に関する情報とを比較することによって、取得した前記コンテンツ情報から前記ユーザの身体的特徴と同一又は類似の身体的特徴を有する使用者の身体的特徴に関する情報を含む前記コンテンツ情報を抽出する検索ステップと、
前記検索ステップにおいて抽出された前記コンテンツ情報に含まれる画像ＩＤに対応する画像を前記端末に送信する送信ステップと、を含む情報提供方法。
【請求項１２】
コンピュータを、
ユーザの端末から商品の表示要求を受信する受信部と、
前記ユーザの身体的特徴を取得する身体情報取得部と、
画像を特定するための画像ＩＤと、該画像に写る商品を特定するための商品ＩＤと、該商品を使用した状態で前記画像に写る使用者の身体的特徴に関する情報と、が関連付けられたコンテンツ情報を記憶するコンテンツ記憶部から、前記表示要求で示される商品に対応する商品ＩＤを含む前記コンテンツ情報を取得した後に、前記ユーザの身体的特徴と前記コンテンツ情報の前記使用者の身体的特徴に関する情報とを比較することによって、取得した前記コンテンツ情報から前記ユーザの身体的特徴と同一又は類似の身体的特徴を有する使用者の身体的特徴に関する情報を含む前記コンテンツ情報を抽出する検索部と、
前記検索部によって抽出された前記コンテンツ情報に含まれる画像ＩＤに対応する画像を前記端末に送信する送信部と、して機能させる情報提供プログラム。
【請求項１３】
コンピュータを、
ユーザの端末から商品の表示要求を受信する受信部と、
前記ユーザの身体的特徴を取得する身体情報取得部と、
画像を特定するための画像ＩＤと、該画像に写る商品を特定するための商品ＩＤと、該商品を使用した状態で前記画像に写る使用者の身体的特徴に関する情報と、が関連付けられたコンテンツ情報を記憶するコンテンツ記憶部から、前記表示要求で示される商品に対応する商品ＩＤを含む前記コンテンツ情報を取得した後に、前記ユーザの身体的特徴と前記コンテンツ情報の前記使用者の身体的特徴に関する情報とを比較することによって、取得した前記コンテンツ情報から前記ユーザの身体的特徴と同一又は類似の身体的特徴を有する使用者の身体的特徴に関する情報を含む前記コンテンツ情報を抽出する検索部と、
前記検索部によって抽出された前記コンテンツ情報に含まれる画像ＩＤに対応する画像を前記端末に送信する送信部と、して機能させる情報提供プログラムを記録したコンピュータ読み取り可能な記録媒体。